(57)【要約】【課題】液晶分子の配向不良を抑制し、光漏れが発生しても、コントラストの低下を防ぐ、配向制御用突起が設けられた液晶表示装置用カラーフィルタを提供すること。【解決手段】配向制御用突起３が、配向制御用突起土台３Ａと、その上に透明導電膜を介して形成された絶縁層３Ｂで構成されていること。配向制御用突起１３が、配向制御用突起土台１３Ａと、その上に着色画素の形成と同時に設けられた着色画素の重なり部分１３Ｂと、その上に透明導電膜を介して形成された絶縁層３Ｂで構成されていること。配向制御用突起土台３３Ａが、ブラックマトリックス４１の形成に用いた材料と同一材料を用い、ブラックマトリックスの形成と同時に形成されたこと。【選択図】図３
2008051856.tif 000002
【特許請求の範囲】
【請求項１】
ガラス基板上に、少なくともブラックマトリックス、着色画素、配向制御用突起が形成された液晶表示装置用カラーフィルタにおいて、
前記配向制御用突起が、着色画素内に設けられた配向制御用突起土台と、該配向制御用突起土台上に透明導電膜を介して形成された絶縁層とで構成されていることを特徴とする液晶表示装置用カラーフィルタ。
【請求項２】
前記絶縁層が、透明樹脂組成物をパターニングした絶縁層であることを特徴とする請求項１記載の液晶表示装置用カラーフィルタ。
【請求項３】
ガラス基板上に、少なくともブラックマトリックス、着色画素、配向制御用突起が形成された液晶表示装置用カラーフィルタにおいて、
前記配向制御用突起が、着色画素内に設けられた配向制御用突起土台と、該配向制御用突起土台上に着色画素の形成と同時に設けられた着色画素の重なり部分と、該重なり部分上に透明導電膜を介して形成された絶縁層とで構成されていることを特徴とする液晶表示装置用カラーフィルタ。
【請求項４】
前記配向制御用突起土台が、ブラックマトリックスの形成に用いた材料と同一材料を用い、ブラックマトリックスの形成と同時に形成した配向制御用突起土台であることを特徴とする請求項１、請求項２、又は請求項３記載の液晶表示装置用カラーフィルタ。
【請求項５】
請求項１〜請求項４のいずれか１項に記載の液晶表示装置用カラーフィルタを用いたことを特徴とする液晶表示装置。
【発明の詳細な説明】
【技術分野】
【０００１】
本発明は、配向制御用突起が設けられた液晶表示装置用カラーフィルタに関するものであり、特に、液晶分子の配向不良を抑制し、また、光漏れが発生しても、コントラストの低下を防ぐことのできる液晶表示装置用カラーフィルタ及び液晶表示装置に関する。
【背景技術】
【０００２】
図４は、液晶表示装置に用いられるカラーフィルタの一例を模式的に示した平面図である。また、図５は、図４に示すカラーフィルタのＸ−Ｘ’線における断面図である。図４、及び図５に示すように、液晶表示装置に用いられるカラーフィルタ（４）は、ガラス基板（４０）上にブラックマトリックス（４１）、着色画素（４２）、及び透明導電膜（４３）が順次に形成されたものである。図４、及び図５はカラーフィルタを模式的に示したもので、着色画素（４２）は１２個表されているが、実際のカラーフィルタにおいては、例えば、対角１７インチの画面に数百μｍ程度の着色画素が多数個配列されている。
【０００３】
液晶表示装置の多くに用いられている、上記構造のカラーフィルタの製造方法としては、先ず、ガラス基板上にブラックマトリックスを形成してブラックマトリックス基板とし、次に、このブラックマトリックス基板上のブラックマトリックスのパターンに位置合わせして着色画素を形成し、更に透明導電膜を位置合わせして形成するといった方法が広く用いられている。ブラックマトリックス（４１）は、遮光性を有するマトリックス状のものであり、着色画素（４２）は、例えば、赤色、緑色、青色のフィルタ機能を有するものであり、透明導電膜（４３）は、透明な電極として設けられたものである。
【０００４】
ブラックマトリックス（４１）は、着色画素（４２）間のマトリックス部（４１Ａ）と、着色画素（４２）が形成された領域（表示部）の周辺部を囲む額縁部（４１Ｂ）とで構成されている。ブラックマトリックスは、カラーフィルタの着色画素の位置を定め、大きさを均一なものとし、また、表示装置に用いられた際に、好ましくない光を遮蔽し、表示装置の画像をムラのない均一な、且つコントラストを向上させた画像にする機能を有している。
【０００５】
このブラックマトリックス基板の製造には、ガラス基板（４０）上にブラックマトリックスの材料としてのクロム（Ｃｒ）、酸化クロム（ＣｒＯｘ）などの金属、もしくは金属化合物を薄膜状に成膜し、成膜された薄膜上に、例えば、ポジ型のフォトレジストを用いてエッチングレジストパターンを形成し、次に、成膜された金属薄膜の露出部分のエッチング及びエッチングレジストパターンの剥膜を行い、Ｃｒ、ＣｒＯｘなどの金属薄膜からなるブラックマトリックス（４１）を形成するといった方法がとられている。或いは、ガラス基板（４０）上に、ブラックマトリックス形成用の黒色感光性樹脂を用いてフォトリソグラフィ法によってブラックマトリックス（４１）を形成するといった方法がとられている。
【０００６】
また、着色画素（４２）の形成は、このブラックマトリックス基板上に、例えば、顔料などの色素を分散させたネガ型のフォトレジストを用いて塗布膜を設け、この塗布膜への露光、現像によって着色画素を形成するといった方法がとられている。また、透明導電膜（４３）の形成は、着色画素が形成されたブラックマトリックス基板上に、例えば、ＩＴＯ（Ｉｎｄｉｕｍ  Ｔｉｎ  Ｏｘｉｄｅ）を用いスパッタ法によって透明導電膜を形成するといった方法がとられている。
【０００７】
図４、及び図５に示すカラーフィルタ（４）は、液晶表示装置に用いられるカラーフィ
ルタとして基本的な機能を備えたものである。液晶表示装置は、このようなカラーフィルタを内蔵することにより、フルカラー表示が実現し、その応用範囲が飛躍的に広がり、液晶カラーＴＶ、ノート型ＰＣなど液晶表示装置を用いた多くの商品が創出された。多様な液晶表示装置の開発、実用に伴い、液晶表示装置に用いられるカラーフィルタには、上記基本的な機能に付随して種々な機能が付加されるようになった。
【０００８】
例えば、配向分割機能。従来の液晶表示装置に於いては、液晶分子を一様に配向させるために、液晶を挟持する両基板に設けられた透明導電膜上に、予めポリイミドを塗布し、その表面に一様なラビング処理をしておく。しかし、ＴＮ型液晶においては、原理的に広い視野角を得ることは困難であり、コントラストが低下し表示品質が悪化する。コントラストが良好な視野角は狭いといった問題を有していた。
【０００９】
このような問題を解決する一技術として、一画素内での液晶分子の配向方向が一方向でなく、複数の方向になるように配向を分割した視野角の広い、配向分割垂直配向型液晶表示装置（ＭＶＡ（Ｍｕｌｔｉ−ｄｏｍａｉｎ  Ｖｅｒｔｉｃａｌ  Ａｌｉｇｎｍｅｎｔ）−ＬＣＤが開発された。
【００１０】
図６（ａ）、（ｂ）は、ＭＶＡ−ＬＣＤに用いられるカラーフィルタの一例の一画素を拡大して示す平面図、及び断面図である。この例は、平面形状が円形の配向制御用突起（２３Ａ）が形成されたカラーフィルタ（８Ａ）である。このようなカラーフィルタを用いた液晶表示装置は、一画素内で液晶分子の配向方向が多方向となり視野角は広いものとなる。
また、図７（ａ）、（ｂ）は、別な例の一画素を拡大して示す平面図、及び断面図である。図７（ａ）、（ｂ）に示すように、この別な例は、平面形状がストライプ状の配向制御用リブ（２３Ｂ）であり、一画素内で９０°屈曲させた配向制御用リブ（２３Ｂ）が形成されたカラーフィルタ（８Ｂ）である。このようなカラーフィルタを用いた液晶表示装置は、一画素内で液晶分子の配向方向が４方向となり視野角は広いものとなる。
【００１１】
平面形状が円形の配向制御用突起（２３Ａ）の幅（Ｗ３）は１５μｍ程度、高さ（Ｈ３）は１．４μｍ程度である。また、平面形状がストライプ状の配向制御用リブ（２３Ｂ）のＡ−Ａ’線での断面形状は、例えば、三角形状であり、その幅（Ｗ４）、高さ（Ｈ４）は、配向制御用突起（２３Ａ）の各々と同程度である。これらは、例えば、透明なポジ型のフォトレジストを用いて形成される。
【００１２】
このように、配向を制御する配向制御用突起（２３Ａ）、或いは配向制御用リブ（２３Ｂ）を設けているために、配向制御用突起（２３Ａ）上、或いは配向制御用リブ（２３Ｂ）上の液晶分子の配向状態は、他の領域とは異なった状態となり、光漏れを生じてコントラストが低下するといった問題を有している。
また、フォトレジストを用いフォトリソグラフィ法で形成した配向制御用突起（２３Ａ）、或いは配向制御用リブ（２３Ｂ）の側面は垂直な状態になり易く、液晶分子の配向不良による光漏れといった問題を誘発させる。
【特許文献１】特開２００５−１７３１０５号公報
【特許文献２】特開２００６−５８７３４号公報
【特許文献３】特開２０００−２６７０７９号公報
【特許文献４】特許第３２５５１０７号公報
【発明の開示】
【発明が解決しようとする課題】
【００１３】
本発明は、上記問題を解決するためになされたものであり、配向制御用突起が設けられた液晶表示装置用カラーフィルタにおいて、液晶分子の配向不良を抑制し、また、光漏れが発生しても、コントラストの低下を防ぐことのできる液晶表示装置用カラーフィルタを提供することを課題とするものである。
また、上記液晶表示装置用カラーフィルタを用いた液晶表示装置を提供することを課題とする。
【課題を解決するための手段】
【００１４】
本発明は、ガラス基板上に、少なくともブラックマトリックス、着色画素、配向制御用突起が形成された液晶表示装置用カラーフィルタにおいて、
前記配向制御用突起が、着色画素内に設けられた配向制御用突起土台と、該配向制御用突起土台上に透明導電膜を介して形成された絶縁層とで構成されていることを特徴とする液晶表示装置用カラーフィルタである。
【００１５】
また、本発明は、上記発明による液晶表示装置用カラーフィルタにおいて、前記絶縁層が、透明樹脂組成物をパターニングした絶縁層であることを特徴とする液晶表示装置用カラーフィルタである。
【００１６】
また、本発明は、ガラス基板上に、少なくともブラックマトリックス、着色画素、配向制御用突起が形成された液晶表示装置用カラーフィルタにおいて、
前記配向制御用突起が、着色画素内に設けられた配向制御用突起土台と、該配向制御用突起土台上に着色画素の形成と同時に設けられた着色画素の重なり部分と、該重なり部分上に透明導電膜を介して形成された絶縁層とで構成されていることを特徴とする液晶表示装置用カラーフィルタである。
【００１７】
また、本発明は、上記発明による液晶表示装置用カラーフィルタにおいて、前記配向制御用突起土台が、ブラックマトリックスの形成に用いた材料と同一材料を用い、ブラックマトリックスの形成と同時に形成した配向制御用突起土台であることを特徴とする液晶表示装置用カラーフィルタである。
【００１８】
また、本発明は、請求項１〜請求項４のいずれか１項に記載の液晶表示装置用カラーフィルタを用いたことを特徴とする液晶表示装置である。
【発明の効果】
【００１９】
本発明は、ガラス基板上に、少なくともブラックマトリックス、着色画素、配向制御用突起が形成された液晶表示装置用カラーフィルタにおいて、配向制御用突起が、着色画素内に設けられた配向制御用突起土台と、配向制御用突起土台上に透明導電膜を介して形成された絶縁層で構成されている液晶表示装置用カラーフィルタであるので、液晶分子の配向不良を抑制し、また、光漏れが発生しても、コントラストの低下を防ぐことができる液晶表示装置用カラーフィルタとなる。
【００２０】
また、本発明は、ガラス基板上に、少なくともブラックマトリックス、着色画素、配向制御用突起が形成された液晶表示装置用カラーフィルタにおいて、配向制御用突起が、着色画素内に設けられた配向制御用突起土台と、配向制御用突起土台上に着色画素の形成と同時に設けられた着色画素の重なり部分と、重なり部分上に透明導電膜を介して形成された絶縁層とで構成されている液晶表示装置用カラーフィルタであるので、液晶分子の配向不良を抑制し、また、光漏れが発生しても、コントラストの低下を防ぐことができ、且つ廉価な液晶表示装置用カラーフィルタとなる。
【００２１】
また、本発明は、上記液晶表示装置用カラーフィルタにおいて、配向制御用突起土台が、ブラックマトリックスの形成に用いた材料と同一材料を用い、ブラックマトリックスの形成と同時に形成した配向制御用突起土台であるので、液晶分子の配向不良を抑制し、また、光漏れが発生しても、コントラストの低下を防ぐことができ、且つ更に廉価な液晶表示装置用カラーフィルタとなる。
【００２２】
また、本発明は、上記液晶表示装置用カラーフィルタを用いた液晶表示装置であるので、配向制御用突起に起因したコントラストの低下のない液晶表示装置となる。
【発明を実施するための最良の形態】
【００２３】
以下に本発明の実施の形態を詳細に説明する。
図１は、本発明による液晶表示装置用カラーフィルタの一実施例の一部分を拡大して示す断面図である。
図１に示すように、本発明による液晶表示装置用カラーフィルタは、ガラス基板（４０）上に、ブラックマトリックス（４１）、複数色の着色画素（４２）、配向制御用突起（３）、及び透明導電膜（４３）が形成されたものである。着色画素（４２）は、赤色の着色画素（４２Ｒ）、緑色の着色画素（４２Ｇ）、青色の着色画素（４２Ｂ）で構成されているが一部分が示されている。各色の着色画素間にはブラックマトリックス（４１）が設けられている。
【００２４】
配向制御用突起（３）は、着色画素内のガラス基板（４０）上に設けられた配向制御用突起土台（３Ａ）と、この配向制御用突起土台（３Ａ）上に透明導電膜（４３）を介して形成された絶縁層（３Ｂ）とで構成されている。絶縁層（３Ｂ）は、配向制御用突起土台（３Ａ）上に透明導電膜（４３）を介して形成されたものであり、その側面はなだらかな状態である。また、配向制御用突起土台（３Ａ）は、遮光性を有するものである。液晶分子の配向制御に寄与するのは、図１中、符号（Ｈ１）で示す部分である。
【００２５】
従って、この液晶表示装置用カラーフィルタを液晶表示装置に用いた際には、液晶分子の配向不良を抑制し、また、配向制御用突起上で光漏れが発生しても、配向制御用突起土台（３Ａ）によって遮光されるので、コントラストの低下を防ぐことができる。
【００２６】
図２は、請求項３に係わる発明による液晶表示装置用カラーフィルタの一例の一部分を拡大して示す断面図である。
図２に示すように、請求項３に係わる発明による液晶表示装置用カラーフィルタは、ガラス基板（４０）上に、ブラックマトリックス（４１）、複数色の着色画素（４２）、配向制御用突起（１３）、及び透明導電膜（４３）が形成されたものである。着色画素（４２）は、赤色の着色画素（４２Ｒ）、緑色の着色画素（４２Ｇ）、青色の着色画素（４２Ｂ）で構成されているが一部分が示されている。各色の着色画素間にはブラックマトリックス（４１）が設けられている。
【００２７】
図２に示す配向制御用突起（１３）は、着色画素内のガラス基板（４０）上に設けられた配向制御用突起土台（１３Ａ）と、この配向制御用突起土台（１３Ａ）上に着色画素の形成と同時に設けられた着色画素の重なり部分（１３Ｂ）と、この重なり部分（１３Ｂ）に透明導電膜（４３）を介して形成された絶縁層（３Ｂ）とで構成されている。
着色画素の重なり部分（１３Ｂ）は、配向制御用突起土台（１３Ａ）上に赤色の着色画素（４２Ｒ）が重ねて形成されたものであり、その側面はなだらかな状態である。また、配向制御用突起土台（１３Ａ）は、遮光性を有するものである。
液晶分子の配向制御に寄与するのは、図２中、符号（Ｈ１）で示す部分である。
【００２８】
従って、この液晶表示装置用カラーフィルタを液晶表示装置に用いた際には、液晶分子の配向不良を抑制し、また、配向制御用突起上で光漏れが発生しても、配向制御用突起土台（１３Ａ）によって遮光されるので、コントラストの低下を防ぐことができる。
また、図２に示す着色画素の重なり部分（１３Ｂ）は、赤色の着色画素（４２Ｒ）が重ねて形成されたものであるので、図１に示す液晶表示装置用カラーフィルタと比較し廉価に製造することができる。
【００２９】
図３は、請求項４に係わる発明による液晶表示装置用カラーフィルタの一例の一部分を拡大して示す断面図である。
図３に示すように、請求項４に係わる発明による液晶表示装置用カラーフィルタは、ガラス基板（４０）上に、ブラックマトリックス（４１）、複数色の着色画素（４２）、配向制御用突起（３３）、及び透明導電膜（４３）が形成されたものである。着色画素（４２）は、赤色の着色画素（４２Ｒ）、緑色の着色画素（４２Ｇ）、青色の着色画素（４２Ｂ）で構成されているが一部分が示されている。各色の着色画素間にはブラックマトリックス（４１）が設けられている。
【００３０】
図３に示す配向制御用突起（３３）は、着色画素内のガラス基板（４０）上に設けられた配向制御用突起土台（３３Ａ）と、この配向制御用突起土台（３３Ａ）上に着色画素の形成と同時に設けられた着色画素の重なり部分（１３Ｂ）と、この重なり部分（１３Ｂ）上に透明導電膜（４３）を介して形成された絶縁層（３Ｂ）とで構成されている例である。
着色画素の重なり部分（１３Ｂ）は、配向制御用突起土台（１３Ａ）上に赤色の着色画素（４２Ｒ）が重ねて形成されたものであり、その側面はなだらかな状態である。また、配向制御用突起土台（３３Ａ）は、ブラックマトリックス（４１）の形成に用いた材料と同一材料を用い、ブラックマトリックスの形成と同時に形成した配向制御用突起土台である。液晶分子の配向制御に寄与するのは、図３中、符号（Ｈ１）で示す部分である。
【００３１】
従って、この液晶表示装置用カラーフィルタを液晶表示装置に用いた際には、液晶分子の配向不良を抑制し、また、配向制御用突起上で光漏れが発生しても、配向制御用突起土台（３３Ａ）によって遮光されるので、コントラストの低下を防ぐことができる。
また、図３に示す配向制御用突起土台（３３Ａ）は、ブラックマトリックスの形成と同時に形成された配向制御用突起土台であるので、図２に示す液晶表示装置用カラーフィルタと比較し更に廉価に製造することができる。
【図面の簡単な説明】
【００３２】
【図１】本発明による液晶表示装置用カラーフィルタの一実施例の一部を拡大して示す断面図である。
【図２】請求項３に係わる発明による液晶表示装置用カラーフィルタの一例の一部を拡大して示す断面図である。
【図３】請求項４に係わる発明による液晶表示装置用カラーフィルタの一例の一部を拡大して示す断面図である。
【図４】液晶表示装置に用いられるカラーフィルタの一例を模式的に示した平面図である。
【図５】図４に示すカラーフィルタのＸ−Ｘ’線における断面図である。
【図６】（ａ）は、ＭＶＡ−ＬＣＤに用いられるカラーフィルタの一例の一画素を拡大して示す平面図である。（ｂ）は、ＭＶＡ−ＬＣＤに用いられるカラーフィルタの一例の一画素を拡大して示す断面図である。
【図７】（ａ）は、別な例の一画素を拡大して示す平面図である。（ｂ）は、別な例の一画素を拡大して示す断面図である。
【符号の説明】
【００３３】
３、１３、３３・・・本発明における配向制御用突起
３Ａ、１３Ａ・・・遮光性を有する配向制御用突起土台
３Ｂ・・・絶縁層
８Ａ、８Ｂ・・・カラーフィルタ
１３Ｂ・・・着色画素の重なり部分
２３Ａ、２３Ｂ・・・配向制御用突起（リブ）
３３Ａ・・・ブラックマトリックスの形成に用いた材料と同一材料を用い、ブラックマトリックスの形成と同時に形成した配向制御用突起土台
４０・・・ガラス基板
４１・・・ブラックマトリックス
４１Ａ・・・マトリックス部
４１Ｂ・・・額縁部
４２・・・着色画素
４２Ｒ・・・赤色の着色画素
４２Ｇ・・・緑色の着色画素
４２Ｂ・・・青色の着色画素
４３・・・透明導電膜
Ｈ１・・・液晶分子の配向制御に寄与する部分
Ｈ３、Ｈ４・・・配向制御用突起（リブ）の高さ
Ｗ３、Ｗ４・・・配向制御用突起（リブ）の幅
【図１】
2008051856.tif 000003
【図２】
2008051856.tif 000004
【図３】
2008051856.tif 000005
【図４】
2008051856.tif 000006
【図５】
2008051856.tif 000007
【図６】
2008051856.tif 000008
【図７】
2008051856.tif 000009